(57)【要約】【課題】  従来の腕装着用のゲ−トボ−ル得点表示器やゲ−トボ−ル得点表示装置において、ブザ−音の発音による多量の消費電流による電池消耗に起因する動作不能や表示不能や、ブザ−音の発音孔から進入する静電気によるＩＣチップの破壊や誤作動や、太陽電池から供給された電力ではブザ−音を大きくすることが出来ないなどの致命的問題点があった。【解決手段】  太陽電池より供給された電力を蓄電することを主目的とした蓄電器を備えるが、本体ケ−ス２の下ケ−ス１１の内部にはブザ−取着部６を形成し、このブザ−取着部６には電子回路に接続されたブザ−７を取着し、更に前記ブザ−取着部６にはブザ−音を前記本体ケ−ス２の外部に発する発音孔８を設け、更に前記発音孔８より発せられたブザ−音が衝突して反響する反響板９を前記下ケ−ス１１の前記発音孔８の外部の前面に設けた構成とした、太陽電池付きゲ−トボ−ル得点表示器。【選択図】    図１
2005349156.tif 000002
【特許請求の範囲】
【請求項１】
本体ケ−スの上ケ−スの表面には太陽電池の受光面及び複数のスイッチ及び表示部が設けられ、本体ケ−ス内部の基板に設けられた電子回路には、前記太陽電池を有する電源部を備え、前記太陽電池より供給された電力を蓄電することを主目的とした蓄電器を備え、更に、前記スイッチ操作に従っての動作や表示に必要な電子部品や情報処理を行う中央演算処理部を設けている、腕に装着して使用する太陽電池付きゲ−トボ−ル得点表示器（以下、得点表示器という。）であって、前記本体ケ−スの下ケ−スの内部にはブザ−取着部を形成し、このブザ−取着部には前記電子回路に接続されたブザ−を取着し、更に前記ブザ−取着部にはブザ−音を前記本体ケ−スの外部に発する発音孔を設け、更に前記発音孔より発せられたブザ−音が衝突して反響する反響板を前記下ケ−スの前記発音孔の外部の前面に設けていることを特徴とする太陽電池付きゲ−トボ−ル得点表示器。
【請求項２】
前記電子回路部は、太陽電池と二次電池を備えた電源部を設け、前記太陽電池及び前記二次電池のうち、出力の高い方の電池を選択し、その電力を前記蓄電器に蓄電する前記請求項１に記載の太陽電池付きゲ−トボ−ル得点表示器。
【請求項３】
前記ケ−スの裏面には、前記得点表示器が腕に安定して装着できる安定装着部を形成し、この安定装着部の内部に蓄電器の一部が収容出来る蓄電器収容部を設けた前記請求項１乃至請求項２に記載の太陽電池付きゲ−トボ−ル得点表示器。
【発明の詳細な説明】
【発明の詳細な説明】
【技術分野】
【０００１】  本発明は、腕装着用のゲ−トボ−ル競技に用いるゲ−トボ−ル得点表示器やゲ−トボ−ル得点表示装置ににおいての電池消耗に起因する不具合の解消、更に、太陽電池利用時のブザ−音を大きくする方法においては昇圧コイルを使用せず、また更に、ブザ−発音孔よりの静電気の進入によるＩＣメモリ−の破壊や誤作動などの悪影響を解消した太陽電池付きゲ−トボ−ル得点表示器に関する。
【背景技術】
【０００２】  従来の腕装着用のゲ−トボ−ル得点表示器としては、腕装着用バンド支持部を備えた横長状のケ−スの表面に、１〜１０の数字のうちの１、３、５、７、９の奇数競技者スイッチと、該奇数競技者スイッチに対応した奇数得点表示部と、２、４、６、８、１０の偶数競技者スイッチと、該偶数競技者スイッチに対応した偶数得点表示部と、該奇数得点表示部の横側には奇数合計得点表示部及び該偶数得点表示部の横側には偶数合計得点表示部と、アウトボ−ル用スイッチはアウトボ−ル状態を表示し、電源をボタン電池のみを用い、表示部の表示やブザ−の発音に係る電子部品やＩＣメモリ−を介した電子回路にて必要な電力を供給し該得点表示器のスイッチ操作で表示部の表示や昇圧コイルを利用したブザ−の発音を行う構成であった。（実登録第１９３７４６４号）【０００３】  また、腕装着用のゲ−トボ−ル得点表示器としては、横長状のケ−スの表面に、１〜１０の数字のうちの１、３、５、７、９の奇数競技者スイッチと、該奇数競技者スイッチに対応した奇数得点表示部と、２、４、６、８、１０の偶数競技者スイッチと、該偶数競技者スイッチに対応した偶数得点表示部と、該奇数得点表示部の横側には奇数合計得点表示部及び該偶数得点表示部の横側には偶数合計得点表示部を設けた構成であったが、電力の供給方法は前述の方法と同一のボタン電池を電源として、電子部品やＩＣメモリ−を電子回路を用いて表示部の表示やブザ−の発音に必要な電力を供給し該得点表示器のスイッチ操作で表示部の表示や昇圧コイルを用いたブザ−の発音を行う構成であった。（実登録第２０７２４１０号）【０００４】  そして、形状のみを表した意匠では、腕装着用の太陽電池付きゲ−トボ−ル得点表示集計器は、ケ−スの表面に、１〜１０の数字のうちの１、３、５、７、９の奇数競技者スイッチと、該奇数競技者スイッチに対応した奇数得点表示部と、２、４、６、８、１０の偶数得点スイッチと、該偶数得点スイッチに対応した偶数得点表示部と、該奇数得点表示部の横側には奇数合計得点表示部及び該偶数得点表示部の横側には偶数合計得点表示部を設け、更に電源スイッチとスタ−トスイッチと時計スイッチとアウトボ−ルスイッチとタイマ−スイッチを配設し、表示部には時計表示部とタイマ−表示部を設けケ−ス裏面には電池ケ−スを設けた構成であった。（意匠登録第１０６９５４９号）【０００５】  また、太陽電池を用いたゲ−トボ−ル得点表示装置では、ゲ−トボ−ル競技の進行に伴って操作される複数のスイッチと、前記スイッチにもとづいて、電子回路部のＩＣメモリ−を備えた中央演算処理部の動作したがって得点を表示する表示部と、スイッチ操作による入力が出来たか否かの確認をするブザ−とを備え、前記回路部は、前記中央演算処理部と、一次電池と太陽電池を有し、更に前記一次電池および太陽電池のうち、出力の高い方の電池を選択して、その電力を蓄え、前記演算処理部に供給する蓄電部とを備えた構成である。（特願２００３−１９８７５９）【０００６】  更に、太陽電池と、この太陽電池に逆流阻止用ダイオ−ド介して接続した電気回路と、そして、一次電池と太陽電池の起電力を検出しその高低に対応してスイッチ素子を開閉させる電圧検出手段とを備え��また、前記電気回路と並列にコンデンサを接続した太陽電池電気回路装置。（実開昭５７−２０５０８９号）【０００７】  また更に、スイッチ操作による入力が出来たか否かの確認をフザ−を備えたゲ−トボ−ル競技用審判装置がある。（特願平５−２５２１７７号）
【発明が解決しようとする課題】
【０００８】  前述の従来のゲ−トボ−ル得点表示器においては、スイッチ操作に応じて、表示部に適切な表示を行い、さらにスイッチ操作に従ってブザ−を発音させるために、ＩＣメモリ−を備えた電子回路が設けられている。
このような、従来のゲ−トボ−ル得点表示器では、種々の表示及びこれらを制御する電子回路を駆動するのに必要な電力は、表示器内の狭いスペ−スに収容された小型のボタン電池のような一次電池のみから供給されるように構成されている。このため、電池の端子電圧が、表示器やＩＣメモリ−等の電子回路の動作電圧以下に低下すると、全ての表示が消えるばかりでなく、それまでにＩＣメモリ−に記録されていたデ−タも消滅するという欠陥があった。
【０００９】  更に、ゲ−トボ−ル競技においては、スティックでボ−ルを打撃するので、手袋をしているが、この手袋をした指でゲ−トボ−ル得点表示器のスイッチ操作を行うとき、入力が出来たか否かの確認が取りづらいため、入力確認のフザ−音が必要であり、競技者の多くが高齢者のため、ブザ−音の周波数が低いと聞き取りづらいため、高い周波数のブザ−音を発生させていたが、この高い周波数のブザ−音を得るには昇圧コイルを用いているが、このため、電池の消耗を激しくする問題があった。一般に、ブザ−の消費電力は、ゲ−トボ−ル得点表示器の消費電流の大半を占めているので、長時間の安定動作のためには、中央演算処理部の駆動やブザ−音や表示器の表示の消費電力の連続的供給が可能な電池や機構が必要となる。
【００１０】  このように、ゲ−トボ−ル得点表示器においては、前記中央演算処理部の駆動やブザ−音や表示に対しての電力を連続的に供給を行うことが必要であるが、腕に取り付けた状態で、競技を行いながら操作するものであるから、そのサイズや重量が限定されており、容量の大きい電池の使用、あるいはブザ−用の電池の増設は形状を大きくするだけでなく、電力の連続供給の根本的な解決にはならないのである。
【００１１】  前記ゲ−トボ−ル得点表示器の表示部の駆動には約３μＡ〜４μＡの電流でよいが、高いブザ−音を発生させるには昇圧コイルを用いるが、この昇圧コイルを用いると消費電流は約５ｍＡ〜６ｍＡの電流が必要である。
【００１２】  そこで、連続的に電力の供給を行うには太陽電池を主電源とすることが望ましが、腕に取り付けて競技を行いながら操作を行うことから前記得点表示器のケ−スの大きさが制限されるので、当然に太陽電池の大きさも制限されるが、このケ−スに装備する太陽電池の面積は大凡１５ｍｍ×５．５ｍｍ位が限度である。この程度の太陽電池では、従来の前記ゲ−トボ−ル得点表示器に使用されている通常の情報を電荷として蓄えたり、回路中を伝わる電気信号を遅延させるコンデンサを使用すると、周波数の高いブザ−音を一回発音をすると、前記コンデンサに蓄電されている電力を一回で消費してしまい、継続してのスイッチ操作による中央演算処理部の駆動をすることは出来ない。更に、太陽電池の受光面が覆われると現在表示されている表示器の表示もしだいに消えてしまい、継続的なスイッチ操作も出来ない。
【００１３】  このようなことから、太陽電池から供給された電力を、連続的に蓄電出来る蓄電を主とした目的の蓄電器（通称ス−パ−キャパシタを含む。）が必要である。しかし、この蓄電器を用いることで連続動作や表示は出来るが、周波数の高いブザ−音は得られない。これは、前述したように前記得点表示器の大きさが制限されるため、広い面積の太陽電池や蓄電容積の大きな蓄電器は用いられないので、消費電流の多い昇圧コイルを回路内に用いてブザ−音を発音させることが出来ないからである。
【００１４】  そして、ブザ−音を大きくする他の方法としては、ブザ−の前面にブザ−音を本体ケ−スの外部に発する発音孔を設けていたが、この発音孔より静電気が基板内に入り、ＩＣチップの破壊や誤作動を起こす問題があった。
【００１５】  また、上ケ−ス方向の基板上には、表示器に通電するゼブラゴムと基板接点との接触間隔の問題があり、電子部品は設けられない。そして、従来の前記コンデンサは小さな部品であるので下ケ−スの回路部の回路中に容易に設けられるが、本発明で用いる蓄電器は、下ケ−ス方向の基板上の回路中に設けるが、この前記蓄電器は高さが高く大きいため、前記得点表示器のケ−スの中には設けられない問題点があった。
【課題を解決するための手段】
【００１６】  上記課題を解決する本発明は次の通りである。
請求項１の太陽電池付きゲ−トボ−ル得点表示器においては、本体ケ−スの上ケ−スの表面には太陽電池の受光面及び複数のスイッチ及び表示部が設けられ、本体ケ−ス内部の基板に設けられた電子回路には、前記太陽電池を有する電源部を備え、前記太陽電池より供給された電力を蓄電することを主目的とした蓄電器を備え、更に、前記スイッチ操作に従っての動作や表示に必要な電子部品や情報処理を行う中央演算処理部を設けている、腕に装着して使用する太陽電池付きゲ−トボ−ル得点表示器（以下、得点表示器という。）であって、前記本体ケ−スの下ケ−スの内部にはブザ−取着部を形成し、このブザ−取着部には前記電子回路に接続されたブザ−を取着し、更に前記ブザ−取着部にはブザ−音を前記本体ケ−スの外部に発する発音孔を設け、更に前記発音孔より発せられたブザ−音が衝突して反響する反響板を前記下ケ−スの前記発音孔の外部の前面に設けている構成とした。
【００１７】  このような構成によって、上記従来技術では小型のボタン電池のような一次電池を電源としていたため、電池の端子電圧が、表示器やＩＣメモリ−等の電子回路の動作電圧以下に低下すると、競技の途中で全ての表示が消えるとともにＩＣメモリ−に記録されたデ−タ−も消滅していた問題点や、また、ブザ−の発音においての技術では、高い周波数の昇圧コイルを使用していたために多量の電力を消費し、前記得点表示器の動作及び表示に対する電力を電子回路や中央演算処理部への連続供給が出来なかったなどの問題点を解決することが出来た。
【００１８】  即ち、本発明によれば、腕に装着して使用する太陽電池を主電源とした得点表示器であって、前記得点表示器の連続的（約１０回以上が望ましいが回数には限定されない。）動作及び表示に対する消費電力が供給出来る十分な容量の蓄電器を備え、この蓄電器は、上記ゲ−トボ−ル得点表示器に従来使用されている少量の電力をプ−ルし、通常の情報を電荷として蓄えたり、更に回路中を伝わる電気信号を遅延させるコンデンサを指すものでなく、多量の電力を蓄電する蓄電を主目的とした蓄電器（通称ス−パ−キャパシタを含む。）を指し、そして使用するが、しかし、前記ゲ−トボ−ル得点表示装置は、太陽電池から連続的に供給された電力を前記蓄電器に蓄電することで連続動作や表示はできるが、周波数の高いブザ−音を発生させる消費電力の多い昇圧コイルを回路内に用いると、前述したように、連続動作や表示が出来なくなるので、この昇圧コイルを使用することは出来ないので、大きなブザ−音を発音させることは出来ない。
【００１９】  そこで本発明は、前記本体ケ−スの下ケ−スの内部に前記ブザ−を取着するブザ−取着部を形成し、このブザ−取着部にはブザ−音を前記本体ケ−スの外部に発する発音孔を設け、更に前記発音孔より発せられたブザ−音が衝突して反響し、より大きなブザ−音となる反響板を前記下ケ−スの前記発音孔の外部の前面に設けることで、大量の電力を消費せず、更に昇圧コイルを使用したブザ−音と同等のブザ−音の発音を達成し、前記の問題点を解決することが出来る。
【００２０】  そして、前記静電気の問題では、静電気が前記発音孔より入って、ＩＣチップの破壊や誤作動を起こしていた問題に対しても、発音孔の前面に反響板を設けたことで、静電気の進入を防ぐことが出来た。
【００２１】  この前記得点表示器は、１、３、５、７、９の奇数チ−ム競技者スイッチと、２、４、６、８、１０の偶数チ−ム競技者スイッチや電源スイッチやスタ−トスイッチやアウトボ−ルスイツチやタイマ−スイッチや１０秒スイッチや時計スイッチ等を設けることも出来る。更に、前記表示部には、奇数チ−ムの競技者得点や合計得点、偶数チ−ムの競技者得点や合計得点や、また、アウトボ−ル表示やタイマ−表示や１０秒表示や時計表示等を表示することも出来る。
【００２２】  請求項２に記載の、太陽電池付きゲ−トボ−ル得点表示器においては、前記電子回路部は、太陽電池と二次電池を備えた電源部を設け、前記太陽電池及び二次電池のうち、出力の高い方の電池を選択し、その電力を前記蓄電器に蓄電する前記請求項１に記載の構成とした。
【００２３】  この構成では、電力供給電源を太陽電池及び二次電池とし、前記太陽電池及び前記二次電池の電圧の高い電源より供給される電力を前記電子回路にて前記蓄電器へ蓄電し、この蓄電器より電子回路を経て中央演算処理部へ送電される。このとき、前記蓄電器内に全く電力が無いときの蓄電器内への初期電力の供給においては、太陽エネルギ−を電力に変換して電力を供給する太陽電池より二次電池からの電力の供給の方が早く、瞬時に蓄電器内への電力を充電することが出来る。一度充電された蓄電器への継続的電力の供給は日照条件の悪い冬季でも太陽エネルギ−から得られる電圧の出力の方が高いので、電子回路に設ける電子部品及びＩＣメモリ−内のソフトウエア−の指令と連動することによって自動的に二次電池より太陽電池に切り換える事が出来る。尚、二次電池の電池ケ−スを前記得点表示器のケ−ス内に設ける。
【００２４】  これによって、二次電池を取り外して太陽電池のみで使用するとき、その日の日照条件によって、蓄電器内への電力供給に時間がかかるときは、二次電池を前記電池ケ−ス内の電源部に装着し、蓄電器内への充電が完了後に取り外せば、その日の継続使用は太陽電池のみで作動する。尚、電源が切り状態で、前記太陽電池及び二次電池よりの蓄電器への充電完了の合図をブザ−音で知らせると競技者は簡単に充電の完了を認知することが出来る。
【００２５】  請求項３に記載の、太陽電池付きゲ−トボ−ル得点表示器においては、前記本体ケ−スの裏面には、前記得点表示器が腕に安定して装着できる安定装着部を形成し、この安定装着部の内部に蓄電器の一部が収容出来る蓄電器収容部を設けた前記請求項１乃至請求項２に記載の構成とした。
【００２６】  この構成では、前記ケ−スの裏面には、前記得点表示器が安定して取り付けられる安定取り付け部を形成しているが、この安定取り付け部は、基板に設けた前記蓄電器の一部が収容出きる大きさの空洞を設けている。これによって、前記得点表示器のケ−スの厚みを大きくする必要が無い。
【００２７】  本発明の前記得点表示器においては、従来のゲ−トボ−ル得点表示器及び前記ゲ−トボ−ル得点表示装置は、製品としての致命的欠陥であった、競技中の突然の動作不能及び表示不能や、ブザ−音の過大な消費電流による電池消耗や、発音孔よりの静電気進入によるＩＣチップの破壊や誤作動や、ブザ−音が小さく聞き取りづらいなどの問題点の全ての解決を図れたのは、ブザ−音を反響させる反響板を発音孔の前面に設けて、少ない消費電力で大きいブザ−音を得ることに成功したことで、多量の電力を消費する昇圧コイルを使用しない、太陽電池と蓄電器の組み合わせによる電子回路や中央演算処理部への電力の連続的供給システムと、ブザ−音を拡大するための発音孔と反響板との構成を前記得点表示器内で一体構成にすることによって、従来技術では解決出来なかった問題点を解決することが出来た。
【００２８】  前記得点表示器の本発明の技術以外については、大凡の電子回路の技術に関しては、太陽電池若しくは二次電池より供給される電力を電子回路にて逆流防止用ダイオ−ドを介して蓄電器への蓄電を行う技術や、スイッチ操作によっての、電子回路の電子部品（システムリセット用ＩＣ、トランジスタ、抵抗、リセットスイッチ、水晶振動子等）を介しての中央演算処理部の処理や、表示部の表示や、ブザ−の発音に対する通常技術は開示された技術を利用すればよい。
【００２９】  また、本明細書中に記載の「太陽電池」の配設位置においては限定されるものではなく、更に表示器と一体的な太陽電池を使用することも含まれる。
【発明を実施するための最良の形態】
【００３０】  以下に本発明の実施の形態を図面に基づいて説明する。
図１は、本発明の第１実施例を示す太陽電池付きゲ−トボ−ル得点表示器（以下、得点表示器という。）１の縦断面図である。本体ケ−ス２の下ケ−ス１１の内部にはブザ−取着部６を形成し、このブザ−取着部６には電子回路に接続されたブザ−７を取着し、更にブザ−取着部６にはブザ−音を前記本体ケ−ス２の外部に発する発音孔８を設け、更に前記発音孔８より発せられたブザ−音が衝突して反響する反響板９を前記下ケ−ス１１の前記発音孔８の外部の前面に設けている。
そして、本体ケ−ス２内部の基板５に設けられた電子回路には、前記太陽電池１２を有する電源部を備え、前記太陽電池１２より供給された電力を蓄電することを目的とした蓄電器１４を備え、更に、前記スイッチ４、１６、１７操作に従っての動作や表示に必要な電子部品や情報処理を行う中央演算処理部１９を設けている。【００３１】  図２は、第１実施例を示す前記得点表示器１の平面図である。得点表示器１は、本体ケ−ス２の上ケ−ス１０の表面には太陽電池１２の受光面を配し、更に、複数のスイッチ４、１６、１７及び表示部３を設けている。【００３２】  図３は、本発明の第２実施例を示す回路図である。この回路図では、前記電子回路部は、太陽電池１２及び二次電池１８のうち、出力の高い方の電池を選択して、その電力を蓄電器１４に蓄電し、中央演算処理部１９に供給し、更に電源が切り状態で、太陽電池１２及び二次電池１８より蓄電器１４への充電完了の合図をブザ−音で知らせる事が出来る。【００３３】  図４は、本発明の第３実施例を示す背面図である。本体ケ−ス２の裏面には前記得点表示器１が腕に安定して装着できる安定装着部１３を形成し、この安定装着部１３の略中央にはベルト装着部２０を設け、前記安定装着部１３の内部には蓄電器１４の一部が収容出来る蓄電器収容部を設けている。【００３４】  図５は、蓄電器収容部に設けられた蓄電器を表す要部拡大図である。安定装着部１３の内部に蓄電器１４の一部を収容する蓄電器収容部１５を設けている。
【発明の効果】
【００３５】  本発明は、以上説明したように構成されているので、以下に記載されているような効果を奏する。
【００３６】  太陽電池と蓄電器を組み合わせた構成によって、競技中に電池が無くなり動作不能による表示不能を起こさない効果を奏す。
【００３７】  大量の電力を蓄電出来る蓄電器を設けたことで、太陽電池が覆われても、蓄電器に蓄電された電力を使用するので、表示を消さない効果を奏す。
【００３８】  発音孔より発したブザ−音を衝突させる反響板を設けた構成によって、多量の消費電流を消費する昇圧コイルを用いなくて、ブザ−音を大きくする効果や、前記昇圧コイルを用いないことで電力の消費を抑える効果を奏す。
【００３９】  前記反響板を発音孔の前面に設けたことで、静電気の進入を防止することが出来、ＩＣチップの破壊や誤作動を防ぐ効果を奏す。
【００４０】  太陽電池と二次電池を備えたことによって、蓄電器内の空の状態が無くなり、充電待ちをしなくてよく、すぐに競技に使用出来る。
【００４１】  電源を切り状態で蓄電器への充電完了合図をブザ−音で競技者に知らせることによって、充電の判別と機能が正常作動しているか否かが判別出来る。
【００４２】  安定装着部の内部に蓄電器の一部が収容出来る蓄電器収容部を設けたことで、本体ケ−スの厚みを厚くする必要がないので、前記本体ケ−ス内部に収容されるスイッチや液晶や基板の押さえに無理な構成をしなくてよい。
【図面の簡単な説明】
【００４３】
【図１】  図１は、本発明の第１実施例を示す太陽電池付きゲ−トボ−ル得点表示器の縦断面図である。
【図２】  図２は、本発明の第１実施例を示す太陽電池付きゲ−トボ−ル得点表示器の平面図である。
【図３】  図３は、本発明の第２実施例を示す太陽電池付きゲ−トボ−ル得点表示器の回路図である。
【図４】  図４は、本発明の第３実施例を示す太陽電池付きゲ−トボ−ル得点表示器の背面図である。
【図５】  図５は、本発明の太陽電池付きゲ−トボ−ル得点表示器の蓄電器収容部に設けられた蓄電器の要部拡大図である。
【符号の説明】
【００４４】  １．  太陽電池付きゲ−トボ−ル得点表示器  １５．  蓄電器収容部
２．  本体ケ−ス                          １６．  スイッチ
３．  表示部                              １７．  スイッチ
４．  スイッチ                            １８．  二次電池
５．  基板                                １９．  中央演算処理部
６．  ブザ−取着部                        ２０．  ベルト装着部
７．  ブザ−
８．  発音孔
９．  反響板
１０．  上ケ−ス
１１．  下ケ−ス
１２．  太陽電池
１３．  安定装着部
１４．  蓄電器
【図１】
2005349156.tif 000003
【図２】
2005349156.tif 000004
【図３】
2005349156.tif 000005
【図４】
2005349156.tif 000006
【図５】
2005349156.tif 000007